(57)【要約】【課題】この発明は、運転者が車外前方を注視していても、エンジン回転数を認識することができる自動車用計器装置を提供することを目的とする。【解決手段】車速とエンジン回転数とを同一の略円形状の目盛板４内で表示し、車速を、上記目盛板４の中心を回転中心とする指針６と、目盛板４の周縁部に施した目盛４ａとにより表示するか、または数文字表示部８ａ〜８ｃにおける数文字の発光により表示する自動車用計器装置１であって、目盛板４の所定領域を発光させる盤面発光部材１０を有し、該盤面発光部材１０は、上記エンジン回転数の増減に対応して、上記目盛板４の発光面積を拡縮させることができるようにした。【選択図】図２
2008128997.tif 000002
【特許請求の範囲】
【請求項１】
車速とエンジン回転数とを同一の略円形状の盤面内で表示し、
車速を、上記盤面の中心付近を回転中心とする指針と、上記盤面周縁部に施した目盛とにより表示するか、または数文字の発光により表示する自動車用計器装置であって、
上記盤面の所定領域を発光させる盤面発光部材を有し、
該盤面発光部材は、上記エンジン回転数の増減に対応して、上記盤面の発光面積を拡縮させる
自動車用計器装置。
【請求項２】
上記盤面発光部材は、上記盤面の周方向に延びる発光部を、正面視で上記盤面の中心側から周縁部側に向かって同心状に複数配列してなり、
上記エンジン回転数の増大に対応して、中心側の発光部から上記盤面の周縁部側の発光部に向かって順次発光し、上記盤面の発光面積を拡大させる
請求項１記載の自動車用計器装置。
【請求項３】
上記複数の発光部を上記盤面と直交する方向に配列するとともに、
最も中心側の発光部を最も盤面から離れた奥側に配置し、
上記盤面の周縁部側に向かうにつれて、隣接する発光部を盤面に近い手前側に順次配置した
請求項２記載の自動車用計器装置。
【請求項４】
上記複数の発光部を、上記盤面と直交する方向において階段状に配置するとともに、
隣接する発光部間の段差部に遮光部材を設けた
請求項３記載の自動車用計器装置。
【請求項５】
上記盤面と直交する方向に延びるリブを、上記複数の発光部に共通に取付けるとともに、
上記盤面の周方向に等間隔に配設した
請求項３または４記載の自動車用計器装置。
【請求項６】
上記盤面発光部材は、上記盤面の発光面積の拡大に対応して、発光する光の色相を順次変化させる
請求項１〜５のいずれか一項に記載の自動車用計器装置。
【発明の詳細な説明】
【技術分野】
【０００１】
この発明は、車速とエンジン回転数とを同一の略円形状の盤面内で表示する自動車用計器装置に関する。
【背景技術】
【０００２】
車速を表示する盤面内にエンジン回転数目盛を施して、車速表示機能とエンジン回転数表示機能とを兼ね備えるようにした自動車用計器装置が知られている。
【０００３】
このような自動車用計器装置としては、例えば、盤面の周縁部側、中心側にそれぞれ速度計表示目盛、エンジン回転数表示目盛を施したものが提案されている。このような構成においては、上記盤面の中心を回転中心とする指針により、運転者は車速及びエンジン回転数を認識できるようになっている（特許文献１参照）。
【０００４】
【特許文献１】実開昭５７−１２２５７０号公報
【発明の開示】
【発明が解決しようとする課題】
【０００５】
この場合、エンジン回転数を認識するためには、運転者は運転中に視線を置いているフロントウインドウを通した車外前方から、インストルメントパネル上部に配置される上記盤面に視線を移動させ、指針の先端位置及び指針が指し示す目盛を注視しなければならないという煩わしさがあった。
【０００６】
この発明は、運転者が車外前方を注視していても、エンジン回転数を認識することができる自動車用計器装置を提供することを目的とする。
【課題を解決するための手段】
【０００７】
この発明の自動車用計器装置は、車速とエンジン回転数とを同一の略円形状の盤面内で表示し、車速を、上記盤面の中心付近を回転中心とする指針と、上記盤面周縁部に施した目盛とにより表示するか、または数文字の発光により表示する自動車用計器装置であって、上記盤面の所定領域を発光させる盤面発光部材を有し、該盤面発光部材は、上記エンジン回転数の増減に対応して、上記盤面の発光面積を拡縮させることを特徴とする。
【０００８】
この構成によれば、同一の盤面内で車速とエンジン回転数とを表示することができる。さらに、運転者が走行中に車外前方を注視していても、視界の端に入る光により発光面積の拡縮を確認できるため、運転者は、視線を移動させて指針、目盛を注視することなく上記エンジン回転数を認識することができる。
【０００９】
この発明の一実施態様においては、上記盤面発光部材は、上記盤面の周方向に延びる発光部を、正面視で上記盤面の中心側から周縁部側に向かって同心状に複数配列してなり、上記エンジン回転数の増大に対応して、中心側の発光部から上記盤面の周縁部側の発光部に向かって順次発光し、上記盤面の発光面積を拡大させることを特徴とする。
【００１０】
この構成によれば、発光面積の拡大に伴って光が運転者の視界に入りやすくなるため、その度合いによって運転者はエンジン回転数を直感的に認識することができる。
【００１１】
この発明の一実施態様においては、上記複数の発光部を上記盤面と直交する方向に配列するとともに、最も中心側の発光部を最も盤面から離れた奥側に配置し、上記盤面の周縁部側に向かうにつれて、隣接する発光部を盤面に近い手前側に順次配置したことを特徴とする。
【００１２】
この構成によれば、エンジン回転数の増大に対応して、発光部位が手前側（運転者側）に浮き上がるような視覚効果がもたらされる。従って、上記盤面内におけるエンジン回転数表示を三次元的な変化で捉えることができるため、上記エンジン回転数の認識を一層促進させることができる。
【００１３】
この発明の一実施態様においては、上記複数の発光部を、上記盤面と直交する方向において階段状に配置するとともに、隣接する発光部間の段差部に遮光部材を設けたことを特徴とする。
【００１４】
この構成によれば、発光している発光部の光が隣接する発光していない発光部に漏れることに起因して、発光領域の正確な認識が困難になることを防止できる。
【００１５】
この発明の一実施態様においては、上記盤面と直交する方向に延びるリブを、上記複数の発光部に共通に取付けるとともに、上記盤面の周方向に等間隔に配設したことを特徴とする。
【００１６】
この構成によれば、上記リブを、上記複数の発光部を補強するための補強部材として、さらには指針による車速表示の際の目盛として兼用することができる。
【００１７】
この発明の一実施態様においては、上記盤面発光部材は、上記盤面の発光面積の拡大に対応して、発光する光の色相を順次変化させることを特徴とする。
【００１８】
この構成によれば、上記盤面内の発光領域における発光面積、色相の両者の変化によってエンジン回転数の認識をより一層促進させることができる。  
なお、本発明において、発光する光の色相を変化させるとは、発光領域の縁部の色相を変化させることも含む。
【発明の効果】
【００１９】
この発明によれば、上記エンジン回転数の増減に対応して、上記盤面の発光面積を拡縮させるようにすることで、運転者が走行中に車外前方を注視していても、視界の端に入る光により発光面積の拡縮を確認できるため、運転者は、視線を移動させて指針、目盛を注視することなく上記エンジン回転数を認識することができる。
【発明を実施するための最良の形態】
【００２０】
以下、図面に基づいて本発明の実施形態を詳述する。  
（第１実施形態）  
まず、図１〜図５に示す第１実施形態について説明する。図１は、本実施形態に係る自動車用計器装置１（以下、計器装置１と略記する）の設置位置を示す車室内前方の斜視図である。なお、図中において矢印（Ｆ）は車両前方、矢印（Ｒ）は車両後方を示す。
【００２１】
本実施形態に係る車両Ｘは、所謂左ハンドル仕様車であり、左側のフロントシート（即ち運転席）の前方に、ステアリング２及び計器装置１等が配設され、該計器装置１は、上記運転席、右側のフロントシート（即ち助手席）の前方のインストルメントパネル３に取付けられている。なお、計器装置１の上部は、図１に示すように、インストルメントパネル３上面部にて露出している。
【００２２】
図２は、本実施形態に係る計器装置１の正面図であり、図３は、図２におけるＡ−Ａ線矢視断面図である。計器装置１は、これを速度計として利用すべく、周縁部に目盛４ａが施された略円形状の目盛板４を手前側（運転席側）に備えている。目盛板４は、該目盛板４の奥側（車両前側）が運転席側から見えるように透明とされている。ここで、この従動ギア５と指針６とを、このような透明材質の板状体ではなく、例えば、外周に歯が形成されたリング状部分と、指針の先端部とを結合した一体的なフレーム体として、盤面部分を中抜き状に構成してもよい。
【００２３】
目盛板４の奥側には、透明な材質からなる従動ギア５が配設されており、この従動ギア５には、該目盛板４の中心付近と正面視で一致する位置にある中心５ａから径方向外側に延びる指針６が取付けられている。さらに、従動ギア５は、駆動ギア７と歯合しており、駆動ギア７の回転駆動によって従動ギア５が回転すると、指針６が回転するようになっている。
【００２４】
ここで、従動ギア５は透明な材質からなる一方、指針６には適宜の着色がなされている。これにより、従動ギア５の回転時、実際には回転軸が存在していないにもかかわらず、正面視では擬似的に指針６が回転軸を中心にして回転しているように見える。
【００２５】
従動ギア５の奥側には、図示のように数文字を７セグメント表示等によりディジタル表示可能とする数文字表示部８ａ〜８ｄが透明な材質からなる回路基板８ｅ上に実装された数文字表示部材８、目盛板４の周方向に等間隔に配置されたリブ９、９、…、目盛板４の周方向に延びる複数（ここでは６個）の発光部１１〜１６からなる盤面発光部材１０が配設されている。
【００２６】
発光部１１〜１６は、正面視で目盛板４の中心（従動ギア５の中心５ａ）側から周縁部側に向かって同心状に広がるように配列されている。ここで、図２においては、各部材の前後関係によらず、運転席から目視できるものについては、便宜上目盛板４の奥側の部材を実線で示している。
【００２７】
数文字表示部８ａ〜８ｄは、例えば、透明の薄膜型有機エレクトロルミネッセンス（以下、有機ＥＬと略記する）ディスプレイで構成される。但し、これに限らず、例えば、透明の薄膜型液晶ディスプレイを用いてもよい。
【００２８】
盤面発光部材１０の発光部１１〜１６は、図３に示すように、目盛板４と直交する方向（前後方向）にも配列されており、最も中心側の発光部１６が最も目盛板４から離れた奥側に配置され、目盛板４の周縁部側に向かうにつれて、隣接する発光部１５、１４、…が目盛板４に近い手前側に順次配置されている。また、発光部１１〜１６は内側にて階段状をなしている。
【００２９】
リブ９、９、…は、この階段状に沿って目盛板４と直交する方向に延びるように発光部１１〜１６に共通に取付けられている。これにより、発光部１１〜１６の補強が図られている。
【００３０】
発光部１１〜１６は、手前側へ光を照射する光源としての発光ダイオード１１ａ〜１６ａを備えている。
【００３１】
さらに、盤面発光部材１０の前方には、発光部１１〜１６と同様に発光ダイオード２１ａ〜２６ａを備えた発光部２１〜２６が前後方向に配列されている。これら発光部２１〜２６により第２発光部材２０が構成されている。また、発光部２１〜２６は、前後方向に延びる筒状の透明カバー３０によって共通に被覆されている。
【００３２】
ここで、盤面発光部材１０の構成について、図４を参照してさらに詳細に説明する。図４は、図３の盤面発光部材１０を拡大して示す要部拡大図である。発光部１１〜１６の発光ダイオード１１ａ〜１６ａは、光を照射する側（手前側）が、それぞれ異なる着色を施された半透明の発光面１１ｂ〜１６ｂによって被覆されている。また、発光部１１〜１６は、それぞれ回路基板１１ｃ〜１６ｃを有しており、発光ダイオード１１ａ〜１６ａがこの回路基板１１ｃ〜１６ｃ上に実装されている。
【００３３】
図４に示すように、各発光部１１〜１６の発光ダイオード１１ａ〜１６ａ、発光面１１ｂ〜１６ｂ、回路基板１１ｃ〜１６ｃは、上述した階段状に沿ってその内側が計器装置１の奥側に向かうにつれて正面視で目盛板４の中心に近づくように配置されている。このような構成とすることにより、発光部１１〜１６（発光面１１ｂ〜１６ｂ）は、正面視で目盛板４の中心（従動ギア５の中心５ａ）から同心状に広がっているように見える。
【００３４】
ここで、発光面１１ｂ〜１６ｂの色相は、例えば、最も奥側（目盛板４の中心側）に位置する１６ｂでは紫色とされ、１５ｂ、１４ｂ…と、手前側に近づくにつれて徐々に赤みを増すように変化し、最も手前側の１１ｂは赤色とされる。
【００３５】
ところで、隣接する発光部１１〜１６間の段差部には、目盛板４と略直交する方向に延びる遮光板１１ｄ〜１６ｄが取付けられている。
【００３６】
次に、計器装置１の表示制御についてさらに図５を参照して説明する。図５は、計器装置１の表示制御を実行するためのブロック図である。
【００３７】
計器装置１の表示制御を実行する制御手段としてのＣＰＵ４０に、記憶装置としてのＲＯＭ４１、ＲＡＭ４２を接続して構成している。さらに、ＣＰＵ４０は、車速を検出する車速センサ５１、エンジン回転数を検出する回転数センサ５２から検出信号を入力可能としている。
【００３８】
また、ＣＰＵ４０は、予め設定された変速特性に基づいて変速段を自動的に切換えるオートモードと、運転者の操作に応じて変速段を半自動的に切換えるマニュアルモードとを運転者の選択操作によって変更可能に構成された自動変速機（不図示）の表示装置としての機能も計器装置１に持たせるべく表示制御を実行する。
【００３９】
即ち、上記オートモードの選択時に、運転者によりＰ（パーキング）レンジ、Ｒ（後退）レンジ、Ｎ（ニュートラル）レンジ、Ｄ（ドライブ）レンジ、のいずれに操作されているかを検出するＰ（パーキング）レンジスイッチ５３、Ｒ（後退）レンジスイッチ５４、Ｎ（ニュートラル）レンジスイッチ５５及びＤ（ドライブ）レンジスイッチ５６からの信号、マニュアルモードの選択を検出するＭレンジスイッチ５７からの信号、上記マニュアルモードにおいて、シフトアップ操作及びシフトダウン操作がなされたことを検出するシフトアップスイッチ５８及びシフトダウンスイッチ５９からの信号が入力されるようになっている。
【００４０】
ＣＰＵ４０は、車速センサ５１からの検出信号に基づいて、指針駆動回路６１に車速に応じた制御信号を出力するようになっており、指針駆動回路６１は、この制御信号に基づいて駆動ギア７を所定角度回転駆動させるようになっている。これにより、指針６、目盛板４の目盛４ａによる車速の表示が可能となる。
【００４１】
ここで、記憶装置としてのＲＯＭ４１には、車速センサ５１の検出結果と駆動ギア７の回動角との関係を予め設定したマップ、及び駆動ギア７を制御するためのプログラムが記憶されている。また、ＲＡＭ４２には、車速センサ５１により検出された検出信号のデータが記憶されるようになっている。
【００４２】
ところで、リブ９は、目盛板４の周方向に等間隔に配設されているため、指針６による車速表示の際、目盛として機能させることができる。従って、リブ９を、上記複数の発光部１１〜１６を補強するための補強部材として、さらには指針６による車速表示の際の目盛として兼用することができる。
【００４３】
ＣＰＵ４０は、指針駆動回路６１へ制御信号を出力するのと同時に、車速センサ５１の検出信号に基づいて有機ＥＬ駆動回路６２に表示制御信号を出力するようになっている。数文字表示部材８では、上記表示制御信号に基づいて、数文字表示部８ａ〜８ｃの該当する部位が点灯し、数文字の発光による車速のディジタル表示が可能となっている。
【００４４】
また、ＣＰＵ４０は、回転数センサ５２からの検出信号に基づいて、エンジン回転数に応じた制御信号を第１ＬＥＤ（発光ダイオード）駆動回路６３に出力するようになっている。第１ＬＥＤ駆動回路６３は、この制御信号に基づいて発光部１１〜１６の各発光ダイオード１１ａ〜１６ａの点灯、消灯を切換制御するようになっている。
【００４５】
本実施形態においては、エンジン回転数が所定未満である場合には、図２〜図４に示す最も奥側の発光ダイオード１６ａを点灯させ、エンジン回転数が増大するにしたがって、手前側の発光ダイオード１５ａ、１４ａ、…を順次点灯させるようになっている。そして、本実施形態では、エンジン回転数が増大する傾向にあれば、既に点灯した奥側の発光ダイオードは点灯した状態が維持されるようになっている。
【００４６】
この発光ダイオード１１ａ〜１６ａの点灯により、目盛板４の所定領域を発光させることができるようになっており、エンジン回転数の増大に対応して、中心側の発光部１６から目盛板４の周縁部側に向かって順次発光し、目盛板４の発光面積が拡大するようになっている。
【００４７】
逆に、エンジン回転数が減少した時には、目盛板４の周縁部側から中心の発光部１６に向かって順次消灯され、上記発光面積が縮小するようになっている。
【００４８】
このように、エンジン回転数の増減に対応して、目盛板４の発光面積を拡縮させるようにすることで、同一の目盛板４内で車速とエンジン回転数とを表示することができる。さらに、運転者が走行中に車外前方を注視していても、視界の端に入る光により発光面積の拡縮を確認できるため、運転者は、視線を移動させて指針６、目盛４ａを注視することなく上記エンジン回転数を認識することができる。
【００４９】
また、上記エンジン回転数の増大に対応して、中心側の発光部１６から目盛板４の周縁部側の発光部１１に向かって順次発光し、目盛板４の発光面積を拡大させるようにすることで、発光面積の拡大に伴って光が運転者の視界に入りやすくなるため、その度合いによって運転者はエンジン回転数を直感的に認識することができる。
【００５０】
また、上述したように、各発光部１１〜１６を目盛板４と直交する方向に配列しているため、エンジン回転数の増大に対応して順次手前側の発光ダイオード１５ａ、１４ａ、…を点灯させることで、発光部位が手前側（運転者側）に浮き上がるような視覚効果がもたらされる。従って、目盛板４内におけるエンジン回転数表示を三次元的な変化で捉えることができるため、エンジン回転数の認識を一層促進させることができる。
【００５１】
また、上述したように、発光面１１ｂ〜１６ｂの色相は、最も奥側の１６ｂから手前側に近づくにつれて、紫色から徐々に赤みを増すような設定とされているため、発光面積の変化に対応して、発光領域の周縁部側の縁部の色相が変化することとなる。これにより、発光面積、色相の両者の変化によってエンジン回転数の認識をより一層促進させることができる。
【００５２】
ここで、図４に示すように、隣接する発光部１１〜１６間の段差部に、遮光板１１ｄ〜１６ｄを設けているため、発光している発光部（１１〜１６）の光が隣接する発光していない発光部に漏れることに起因して、発光領域の正確な認識が困難になることを防止できる。
【００５３】
上述したような発光ダイオード１１ａ〜１６ａの制御を実行すべく、ＲＯＭ４１には、制御プログラムの他、発光ダイオード１１ａ〜１６ａの点灯を開始させるタイミングを判定するためのエンジン回転数の閾値が記憶されている。
【００５４】
ＣＰＵ４０は、回転数センサ５２の検出結果と上記各閾値とを比較し、エンジン回転数の検出値が閾値を上回った時、隣接する発光ダイオードを点灯させ、エンジン回転数の検出値が閾値を下回った時、最も周縁部側の発光ダイオードを消灯させるようになっている。なお、ＲＡＭ４２には、回転数センサ５２により検出された検出信号のデータが記憶されるようになっている。
【００５５】
なお、本実施形態では、エンジン回転数が増大する傾向にあれば、既に点灯した奥側の発光ダイオードについては、その点灯状態が維持されるようになっているが、本発明においては必ずしもこれに限定されない。例えば、手前側（目盛板４の周縁部側）に向かうにしたがって、各発光面１６ｂ、１５ｂ、１４ｂ、…の面積が大きくなるように設定されていれば、現在のエンジン回転数の値が含まれる範囲を示す発光部のみを発光させるようにしてもよい。
【００５６】
また、本実施形態では、各発光面１１ｂ〜１６ｂに着色を施して光の色相を変化させるようにしているが、発光面を略無色透明とし、発光ダイオード１１ａ〜１６ａから照射される光の色相を異ならせるようにしてもよい。
【００５７】
また、本実施形態においては、発光面１１ｂ〜１６ｂがリブ９で途切れている点を除き略円形の環状となっているが、これに限らず、目盛板４（盤面）の周方向に延びる形状であれば楕円形、多角形であってもよい。また、必ずしも環状であることにも限定されることはなく、扇形であってもよい。
【００５８】
ところで、図３に示す第２発光部２０は、図１に示すインストルメントパネル３の上面部に位置している。さらに、盤面発光部材１０の発光部１１〜１６と同時に、第２発光部材２０の発光部２１〜２６も、エンジン回転数の増減に対応して発光面積が拡縮するように制御される。ＣＰＵ４０は、回転数センサ５２からの検出信号に基づいて、エンジン回転数に応じた制御信号を第２ＬＥＤ駆動回路６４に出力し、エンジン回転数が増大するにしたがって、発光ダイオード２１ａ〜２６ａは、最も奥側の発光部２６から発光部２５、２４、…と順次点灯するように制御される。これにより、運転者、または助手席の乗員がインストルメントパネル３の上面側からエンジン回転数を認識することができる。
【００５９】
また、計器装置１が自動変速機の表示装置として機能する場合、ＣＰＵ４０は、Ｐレンジスイッチ５３、Ｒレンジスイッチ５４、Ｎレンジスイッチ５５及びＤレンジスイッチ５６からの信号の入力に応じて、ＲＯＭ４１において予め設定された制御信号を有機ＥＬ駆動回路６２に出力し、数文字表示部８ｄに、Ｐ、Ｒ、Ｎ及びＤのいずれかをディジタル表示させるようになっている。
【００６０】
また、マニュアルモードの選択を検出するＭレンジスイッチ５７からの信号により、ＣＰＵ４０は、シフトアップスイッチ５８及びシフトダウンスイッチ５９からの信号に基づいて、ＲＯＭ４１において予め設定された制御信号を有機ＥＬ駆動回路６２に出力し、現在の変速段の数値を数文字表示部８ｄにディジタル表示させるようになっている。
【００６１】
（第２実施形態）  
次に、図６、図７に示す第２実施形態について説明する。図６は、本実施形態に係る計器装置１００の正面図であり、図７は、図６におけるＢ−Ｂ線矢視断面図である。
【００６２】
第１実施形態に示す盤面発光部材１０は、目盛板４の中心（従動ギア５の中心５ａ）から周縁部側に向かって同心状に広がるように複数の発光部１１〜１６を配列した構成となっているが、本発明においては、必ずしもこれに限定されない。例えば、図６、図７に示すように、発光部１１〜１６を目盛板１０４の周方向に配列する構成としてもよい。
【００６３】
目盛板１０４の奥側には、第１実施形態と同様、中心１０５ａを回転中心とする指針１０６が取付けられた従動ギア１０５、駆動ギア１０７が設けられ、互いに歯合している。その作用等は第１実施形態における従動ギア５、駆動ギア７と略同様である。
【００６４】
また、従動ギア１０５、指針１０６の奥側には、数文字表示部材１０８、目盛板１０４の周方向に等間隔で配置されたリブ１０９、１０９が配設されている。数文字表示部材１０８は、第１実施形態と同様、車速、変速機のレンジ、段数等を、数文字の発光によりディジタル表示する数文字表示部１０８ａ〜１０８ｄが透明の回路基板１０８ｅ上に実装された構成となっている。なお、図６においても、各部材の前後関係によらず、運転席から目視できるものについては、便宜上目盛板１０４の奥側の部材を実線で示している。
【００６５】
ここで、本実施形態において、盤面発光部材１１０は、略扇形の発光面１１１ｂ〜１１６ｂを備えた発光部１１１〜１１６が目盛板１０４の周方向に配列されることにより構成されている。
【００６６】
リブ１０９、１０９、…は、第１実施形態とは異なり、図７に示すように、各発光部１１１〜１１６を仕切る仕切り板としての機能を有している。なお、発光面１１１ｂ〜１１６ｂ、及びリブ１０９は、数文字表示部材１０８の設置スペースを確保すべく、手前側に向かうにつれて目盛板１０４の周縁部側に広がるような形状をなしている。
【００６７】
各発光部１１１〜１１６には、それぞれ個別に回路基板１１１ｃ〜１１６ｃが設けられ、それぞれに多数の発光ダイオード１１１ａ〜１１６ａが実装されている。
【００６８】
例えば、指針１０６が車速の増大に対応して図６の時計回りに回転するように設定されている場合、本実施形態の盤面発光部材１１０では、エンジン回転数の増大に対応して発光面１１６から順次１１５、１１４、…が発光し、時計回りに発光面積を拡大させるようにしている。
【００６９】
ここで、本実施形態においても、第１実施形態と同様、発光面１１１ｂ〜１１６ｂに適宜の着色を施し、発光面１１６ｂから、１１５ｂ、１１４ｂ…と、発光面１１１ｂに近づくにつれて紫色から徐々に赤みを増すように変化させるようにしてもよい。
【００７０】
これにより、第１実施形態と同様、目盛板１０４の発光面積を拡大させることができるため、運転者は、走行中に車外前方を注視していても視界の端に入る光によりエンジン回転数を認識できる。さらに、発光面１１１ｂ〜１１６ｂの色を発光面積の拡縮に対応して変化させるようにすれば、発光面積、色相の両者の変化によってエンジン回転数の認識をより一層促進させることができる。
【００７１】
ここで、リブ１０９、１０９、…は、第１実施形態と同様、車速表示のための目盛として機能するとともに、本実施形態では、遮光板としての機能を有している。これにより、発光している発光部（１１１〜１１６）の光が隣接する発光していない発光部に及ぶことに起因して、発光領域の正確な認識が困難になることを防止できる。
【００７２】
（その他の実施形態）  
上述した第１、第２実施形態においては、それぞれ、発光面積を拡縮させる方向を、目盛板４の中心側から周縁部側に向かう方向、目盛板１０４の周方向としているが、これらに限らず、例えば、目盛板の中心側から周縁部側へ向かって正面視で螺旋状に変化させるようにしてもよい。
【００７３】
また、上述した第１、第２実施形態においては、各発光部１１〜１６、１１１〜１１６において光の色相を異ならせるようにしているが、本発明においては必ずしもこれに限定されない。例えば、発光面積の増大に対応して、各発光部の発光ダイオードの制御により、発光領域全体を紫色から徐々に赤みがかった色に変化させるようにしてもよい。
【００７４】
また、発光する光の色を紫色から赤みを増大させるように変化させることにも限定されない。また、光の色相を変化させることにも限定されず、各発光部における発光が同じ色相であってもよい。
【００７５】
この発明の構成と、上述の実施形態との対応において、
この発明の盤面は、目盛板４、１０４に対応し、
以下同様に、
遮光部材は、遮光板１１ｄ〜１６ｄに対応するも、
この発明は、上述の実施形態の構成のみに限定されるものではなく、多くの実施の形態を得ることができる。
【図面の簡単な説明】
【００７６】
【図１】本発明の第１実施形態に係る自動車用計器装置の設置位置を示す車室内前方の斜視図。
【図２】本発明の第１実施形態に係る自動車用計器装置の正面図。
【図３】図２におけるＡ−Ａ線矢視断面図。
【図４】図３の盤面発光部材を拡大して示す要部拡大図
【図５】自動車用計器装置の表示制御を実行するためのブロック図。
【図６】本発明の第２実施形態に係る自動車用計器装置の正面図。
【図７】図６におけるＢ−Ｂ線矢視断面図。
【符号の説明】
【００７７】
１、１００…自動車用計器装置
４、１０４…目盛板
４ａ、１０４ａ…目盛
６、１０６…指針
９、１０９…リブ
１０、１１０…盤面発光部材
１１〜１６、１１１〜１１６…発光部
１１ｄ〜１６ｄ…遮光板
【図１】
2008128997.tif 000003
【図２】
2008128997.tif 000004
【図３】
2008128997.tif 000005
【図４】
2008128997.tif 000006
【図５】
2008128997.tif 000007
【図６】
2008128997.tif 000008
【図７】
2008128997.tif 000009